(57)【要約】【課題】飲食物滓を採集する採集フィルタを本体の前面に着脱可能に設けて、フィルタの掃除を容易にするとともに洗浄槽の底面が一層清潔な状態を維持し得るようにした食器洗い機を提供する。【解決手段】本体と、前記本体の内部に設けられる洗浄槽と、洗浄水を集水するため、前記洗浄槽の下部に設置される集水容器と、前記洗浄水に含まれた不純物を採集するため、前記集水容器内に設けられた採集フィルタとを含んでなるが、前記採集フィルタは前記集水容器の付近位置で前記本体の外面を通じて集水容器に着脱可能に装着される。【選択図】　　　　図３
2004041679.tif 000002
【特許請求の範囲】
【請求項１】
本体と、
前記本体の内部に設けられる洗浄槽と、
洗浄水を集水するため、前記洗浄槽の下部に設置される集水容器と、
前記洗浄水に含まれた不純物を採集するため、前記集水容器内に設けられた採集フィルタとを含んでなるが、
前記採集フィルタは前記集水容器の付近位置で前記本体の外面を通じて集水容器に着脱可能に装着されることを特徴とする食器洗い機。
【請求項２】
前記食器洗い機は、
前記採集フィルタを前記本体の外面を通じて設置し得るように、前記本体の前面に形成された開口部と、
前記採集フィルタを収容するため、前記集水容器に設けられ前記開口部まで延長される延長部と、
前記洗浄槽と前記採集フィルタを連結して、前記洗浄槽からの洗浄水が前記集水容器内の洗浄水と合流するようにするとともに前記洗浄水に含まれた不純物を前記採集フィルタに案内するガイド部材とをさらに含むことを特徴とする請求項１に記載の食器洗い機。
【請求項３】
前記採集フィルタは、
一端部が前記開口部を閉鎖し他端部が前記開口部付近の前記延長部を閉鎖するため、前記採集フィルタの端部に着脱可能に設置されるストッパーと、
一端部が前記ストッパーと着脱可能に結合され、他端部が前記ガイド部材と結合されるフィルタ部とを含むことを特徴とする請求項２に記載の食器洗い機。
【請求項４】
前記ガイド部材の全面にわたって多数の貫通孔が形成されることを特徴とする請求項２に記載の食器洗い機。
【請求項５】
前記フィルタ部は、大きい不純物を採集するため、前記フィルタ部の内側位置に設けられた内側フィルタ部と、前記内側フィルタ部に採集された不純物より小さい不純物を採集するため、前記内側部の外側に設けられた少なくとも一つの外側フィルタ部とからなる多重フィルタ構造を有し、前記内側フィルタ部及び前記外側フィルタ部は相互分離可能な円筒状の網状構造を有することを特徴とする請求項３に記載の食器洗い機。
【請求項６】
前記食器洗い機は、前記集水容器からの洗浄水が前記延長部から漏出することを防止するため、前記ストッパーと前記延長部間に設けられたシール部材をさらに含むことを特徴とする請求項３に記載の食器洗い機。
【請求項７】
前記ストッパーは、螺合方式で前記延長部に締結されることを特徴とする請求項３に記載の食器洗い機。
【請求項８】
前記食器洗い機は、前記集水容器の所定位置に各管により連結される循環ポンプ及び排水ポンプをさらに含み、前記循環ポンプは前記集水容器から洗浄水を前記洗浄槽に循環させ、前記排水ポンプは前記集水容器から洗浄水を外部へ排出させることを特徴とする請求項３に記載の食器洗い機。
【請求項９】
本体内に着脱可能に装着され、洗浄水内の不純物を採集するために前記本体の外部から接近可能な集水容器を含むことを特徴とする食器洗い機。
【請求項１０】
前記本体は、前記本体の前方に設けられた装着開口部を含み、前記採集フィルタは前記本体の外部から前記装着開口部を通じて前記食器洗い機に着脱できることを特徴とする請求項９に記載の食器洗い機。
【請求項１１】
前記食器洗い機は、
洗浄水を集水するための集水容器と、
洗浄すべき食器を支持するため、前記本体内に配置された洗浄槽と、
前記採集フィルタを収容するため、前記集水容器と前記装着開口部間に設けられた延長部と、
前記洗浄水の不純物を前記採集フィルタに案内するため、前記洗浄槽と前記採集フィルタ間に設けられたガイド部材とをさらに含むことを特徴とする請求項１０に記載の食器洗い機。
【請求項１２】
前記延長部は、前記集水容器の下部位置から前記本体の前部に形成された装着開口部まで延長されるように折曲されることを特徴とする請求項１１に記載の食器洗い機。
【請求項１３】
前記採集フィルタは、
前記採集フィルタの一端部に隣接して位置し、前記装着開口部を着脱可能に閉鎖させ、前記装着開口部付近の前記延長部を着脱可能に閉鎖させるストッパーと、
前記洗浄水の不純物を採集するため、前記ストッパーと前記ガイド部材間に着脱可能に設けられたフィルタ部とを含むことを特徴とする請求項１１に記載の食器洗い機。
【請求項１４】
前記フィルタ部は、不純物が前記ガイド部材に再度入ることを防止するため、折曲されることを特徴とする請求項１３に記載の食器洗い機。
【請求項１５】
前記ガイド部材はその全面にわたって形成された多数の貫通孔を含むことを特徴とする請求項１１に記載の食器洗い機。
【請求項１６】
前記フィルタ部は多数の同心フィルタを含み、この同心フィルタは、
第１所定サイズより大きい不純物を採集する内側フィルタ部と、
第２所定サイズより大きい不純物を採集するため、前記内側フィルタ部の外部に同心状に設けられた少なくとも一つの外側フィルタ部とからなることを特徴とする請求項１３に記載の食器洗い機。
【請求項１７】
前記第１所定サイズは前記第２所定サイズと違うことを特徴とする請求項１６に記載の食器洗い機。
【請求項１８】
前記フィルタ部は、第３所定サイズより大きい不純物を採集するため、前記内側フィルタ部と前記外側フィルタ部間に同心状に設けられた中間フィルタ部をさらに含むことを特徴とする請求項１６に記載の食器洗い機。
【請求項１９】
前記第３所定サイズが前記第１所定サイズより大きくて前記第２所定サイズより小さいか、又は前記第３所定サイズが前記第１所定サイズより小さくて前記第２所定サイズより大きくなるように、前記第１、第２及び第３所定サイズが設定されることを特徴とする請求項１８に記載の食器洗い機。
【請求項２０】
少なくとも前記内側フィルタ部及び前記内側フィルタ部は網状構造に形成されることを特徴とする請求項１６に記載の食器洗い機。
【請求項２１】
前記フィルタ部は、小さいサイズの不純物を連続して採集するための多数の隣接フィルタを含むことを特徴とする請求項１３に記載の食器洗い機。
【請求項２２】
前記フィルタ部は多数の隣接フィルタを含み、
前記ストッパーはその一側面に前記多数の隣接フィルタに対応する多数の挿着溝を含み、前記多数のフィルタのそれぞれは対応挿着溝に着脱可能に挿着されることを特徴とする請求項１３に記載の食器洗い機。
【請求項２３】
前記食器洗い機は、前記洗浄水が前記集水容器から漏出することを防止するため、前記ストッパーと前記延長部間に設けられたシール部材をさらに含むことを特徴とする請求項１３に記載の食器洗い機。
【請求項２４】
前記ストッパーのネジは前記延長部と締結されることを特徴とする請求項１３に記載の食器洗い機。
【請求項２５】
前記食器洗い機は、多数の管と、循環ポンプと、排水ポンプとをさらに含み、前記循環ポンプ及び前記排水ポンプはそれぞれ一つ以上の前記管により前記集水容器の所定位置に連結され、前記循環ポンプは前記洗浄水を前記集水容器から前記洗浄槽に循環させ、前記排水ポンプは前記洗浄水を前記集水容器から外部へ排出させることを特徴とする請求項１１に記載の食器洗い機。
【請求項２６】
前記洗浄槽は、
下向に傾いた底面と、
前記洗浄水が前記洗浄槽から前記集水容器内に流入するように前記洗浄槽の底面に設けられた流入孔とを含むことを特徴とする請求項１１に記載の食器洗い機。
【請求項２７】
前記ガイド部材は、その上端部が前記流入孔に連通するように前記集水容器内に設置されることを特徴とする請求項１１に記載の食器洗い機。
【請求項２８】
前記ストッパーは、
前記装着開口部を閉鎖するため、前記ストッパーの外部に設けられた外側部と、
前記ストッパーの内部に設けられ、前記装着開口部付近の延長部に螺合される内側部と、
前記外側部と前記内側部との間に設けられた中間部と、
前記ストッパーが回転するようにして前記ストッパーの内側部を前記延長部に結合させるか、又は回転方向によって前記ストッパーの内側部を前記延長部から分離させるため、前記外側部の外側面に設けられた取っ手部とからなる単一体構造を有することを特徴とする請求項１３に記載の食器洗い機。
【請求項２９】
前記食器洗い機はドアをさらに含み、前記採集フィルタは前記ドアの下側の本体外側面を通じて前記集水容器に設けられることを特徴とする請求項９に記載の食器洗い機。
【請求項３０】
前記採集フィルタを装着するための前記延長部は前記本体の側面又は後面に設けられ、前記採集フィルタを設置するための装着開口部は前記延長部の位置に応じて前記本体の側面又は後面に形成されることを特徴とする請求項１１に記載の食器洗い機。
【請求項３１】
本体を有する食器洗い機用採集フィルタにおいて、
洗浄水内の不純物を採集するため、前記本体の外部から接近し得るように前記本体内に着脱可能に装着されるフィルタ部を含むことを特徴とする食器洗い機用採集フィルタ。
【請求項３２】
本体と、前記本体内に配置された洗浄槽と、洗浄すべき食器を支持するバスケットと、前記洗浄槽に接近できるようにするドアと、前記本体の装着開口部に着脱可能に装着され、洗浄水内の不純物を採集するため、外側フィルタ部、中間フィルタ部及び内側フィルタ部を含むフィルタ部と、前記フィルタ部に接近できるように、前記装着開口部に設けられたストッパーとを有する食器洗い機から不純物を除去する方法において、
前記ストッパーを回転させて前記ストッパーを前記食器洗い機から分離させる段階と、
前記食器洗い機のドアを開放するか前記食器洗い機のバスケットのいずれを移動させることなく、前記装着開口部を通じて前記フィルタ部を前記本体から除去する段階と、
前記外側フィルタ部、前記中間フィルタ部及び前記内側フィルタ部をこの順に連続して除去する段階と、
前記外側フィルタ部、前記中間フィルタ部及び前記内側フィルタ部をそれぞれ洗浄する段階とを含んでなることを特徴とする食器洗い機から不純物を除去する方法。
【発明の詳細な説明】
【０００１】
【発明の属する技術分野】
本発明は食器洗い機に係り、より詳しくは飲食物の滓などの不純物を採集する不純物採集フィルタを本体の前面に着脱可能に設けて、フィルタの掃除を容易にするとともに、洗浄槽の底面が一層清潔な状態を維持し得るようにした食器洗い機に関するものである。
【０００２】
【従来の技術】
一般に、食器洗い機は、図１に示すように、内部に洗浄槽２が設けられた本体１と、洗浄槽２の前面の開口を開閉するように、下端が本体１の前面にヒンジで結合されたドア３とを備えている。そして、洗浄槽２の内部上側及び下側には、それぞれ食器を収容するバスケット２ａが前後にスライド可能に設置される。各バスケット２ａの下部には、各バスケット２ａに収容された食器に洗浄水を噴射するように、給水管２ｂに連結された噴射ノズル２ｃがそれぞれ結合される。また、洗浄槽２の下部と本体１の下部間には、洗浄水が集まる集水容器４が設けられる。このような集水容器４の一側と他側にはそれぞれ排水ポンプ５及び循環ポンプ６が設けられる。排水ポンプ５及び循環ポンプ６と集水容器４との間には、それぞれ排水管５ａ及び循環管６ａが連結される。ここで、前記循環管６ａは噴射ノズル２ｃに連結された前記給水管２ｂに連結されるように設けられる。
【０００３】
このような構造により、各噴射ノズル２ｃから噴射された洗浄水は循環ポンプ６の作用により、集水容器４と循環管６ａを経て給水管２ｂに送られた後、噴射ノズル２ｃに供給され、食器洗い機の内部を循環し、所定時間の経過後には、排水ポンプ５の作用で洗い機の外部へ排水される。
【０００４】
一方、このような経路に沿って食器洗い機の内部を循環する洗浄水には、食器から除去された飲食物の滓などの不純物が含まれているため、前記集水容器４には循環する洗浄水を濾過させるとともに洗浄水に含まれた飲食物の滓のような不純物を収集するフィルタ部が設けられる。
【０００５】
前記フィルタ部は、洗浄槽２の底面中央部に設けられ、集水容器４の上面を覆うように設けられた循環フィルタ８と、この循環フィルタ８の中央に形成された挿入孔８ａを通じて集水容器４の内部に装着される採集フィルタ９とを含む。
【０００６】
前記循環フィルタ８は、飲食物の滓を前記採集フィルタ９側に案内するため、中央の挿入孔８ａに向かって下向に傾くように形成された板状のもので、この循環フィルタ８には、飲食物の滓は上面で濾されるが洗浄水は通過させる貫通孔が全面にわたって形成される。そして、循環フィルタ８の上面で濾された飲食物の滓は循環フィルタ８の傾斜形状により前記挿入孔８ａ側に案内されてから採集フィルタ９の内部に収集される。
【０００７】
また、前記採集フィルタ９は円筒状に設けられ、採集フィルタ９の円周面には、前記貫通孔と同様に、飲食物の滓は濾しながらも洗浄水は通過させて、飲食物滓が採集フィルタ９の内部に採集されるようにするフィルタ孔が形成される。
【０００８】
このような貫通孔及びフィルタ孔により、洗浄水に含まれた飲食物滓は採集フィルタ９の内部に採集され、集水容器４内に集まった洗浄水は循環ポンプ６の作用により循環管６ａ、給水管２ｂ及び噴射ノズル２ｃを順次経由して洗浄槽２の内部に噴射される。
【０００９】
しかし、従来の食器洗い機においては、前記循環フィルタ８の上面に沿って採集フィルタ９側に案内される飲食物滓の一部は前記循環フィルタ８の貫通孔にかかり循環フィルタ８の上面で停滞するおそれがある。
【００１０】
また、前記循環フィルタ８及び前記採集フィルタ９とも洗浄槽２の底面に露出しているため、食器の洗いが終了した後、使用者がドアを開けたとき、循環フィルタ８の上面に濾された飲食物滓又は採集フィルタ９の内部に採集された飲食物滓が使用者の目に見えるので、使用者に不快感を感じさせる問題点を持っている。
【００１１】
また、前記採集フィルタ９の内部に所定量以上の飲食物滓が採集された場合、使用者は前記採集フィルタ９を本体１の外部へ取り出して掃除することになるが、前記採集フィルタ９を本体１の外部へ取り出すためには、まずドア３を開放させ、バスケット２ａをドア３側に引き寄せた後、循環フィルタ８の挿入孔８ａを通じて採集フィルタ９を取り出す複雑な手続きを経なければならないし、前記採集フィルタ９を本体１の外部へ取り出す過程で、採集フィルタ９に採集された飲食物滓から汚染水が落水して洗浄槽２の内部空間を汚染させるという問題点がある。
【００１２】
【発明が解決しようとする課題】
したがって、本発明は、前記のような従来の問題点を解決するためになされたもので、その目的は、飲食物滓を採集する採集フィルタを本体の前面に着脱可能に設けて、フィルタの掃除を容易にするとともに洗浄槽の底面が一層清潔な状態を維持し得るようにした食器洗い機を提供することにある。
【００１３】
【課題を解決するための手段】
前記のような目的を達成するため、本発明は、本体と、前記本体の内部に設けられる洗浄槽と、洗浄水を集水するため、前記洗浄槽の下部に設置される集水容器と、前記洗浄水に含まれた不純物を採集するため、前記集水容器内に設けられた採集フィルタとを含んでなるが、前記採集フィルタは前記集水容器の付近位置で前記本体の外面を通じて集水容器に着脱可能に装着されるようになった食器洗い機を提供する。
【００１４】
前記食器洗い機は、前記採集フィルタを前記本体の外面を通じて設置し得るように、前記本体の前面に形成された開口部と、前記採集フィルタを収容するため、前記集水容器に設けられ前記開口部まで延長される延長部と、前記洗浄槽と前記採集フィルタを連結して、前記洗浄槽からの洗浄水が前記集水容器内の洗浄水と合流するようにするとともに前記洗浄水に含まれた不純物を前記採集フィルタに案内するガイド部材とをさらに含むことが好ましい。
【００１５】
前記採集フィルタは、一端部が前記開口部を閉鎖し他端部が前記開口部付近の前記延長部を閉鎖するため、前記採集フィルタの端部に着脱可能に設置されるストッパーと、一端部が前記ストッパーと着脱可能に結合され、他端部が前記ガイド部材と結合されるフィルタ部とを含むことが好ましい。
【００１６】
前記ガイド部材の全面にわたって多数の貫通孔が形成されることが好ましい。
【００１７】
前記フィルタ部は、大きい不純物を採集するため、前記フィルタ部の内側位置に設けられた内側フィルタ部と、前記内側フィルタ部に採集された不純物より小さい不純物を採集するため、前記内側部の外側に設けられた少なくとも一つの外側フィルタ部とからなる多重フィルタ構造を有し、前記内側フィルタ部及び前記外側フィルタ部は相互分離可能な円筒状の網状構造を有することが好ましい。
【００１８】
前記食器洗い機は、前記集水容器からの洗浄水が前記延長部から漏出することを防止するため、前記ストッパーと前記延長部間に設けられたシール部材をさらに含むことが好ましい。
【００１９】
前記ストッパーは、螺合方式で前記延長部に締結されることが好ましい。
【００２０】
前記食器洗い機は、前記集水容器の所定位置に各管により連結される循環ポンプ及び排水ポンプをさらに含み、前記循環ポンプは前記集水容器から洗浄水を前記洗浄槽に循環させ、前記排水ポンプは前記集水容器から洗浄水を外部へ排出させることが好ましい。
【００２１】
【発明の実施の形態】
以下、本発明による好ましい実施例を添付図面に基づいて詳細に説明する。
【００２２】
本発明による食器洗い機は、図２に示すように、ドア３０が前面の下端にヒンジで結合されたキャビネット状の本体１０を備える。この本体１０の内部には、前記ドア３０により開閉され、食器を収容するとともに洗浄空間を形成する洗浄槽２０が設けられる。
【００２３】
このような洗浄槽２０の内部には、洗浄槽２０の外部へ引き出されるようにスライドし、食器を収容するように設けられたバスケット２１、２２が設けられる。前記バスケット２１、２２は、洗浄槽２０の内部上側に設けられる上部バスケット２１と、下側に設けられる下部バスケット２２に区分される。そして、各バスケット２１、２２の下部には、各バスケット２１、２２に収容された食器に洗浄水を噴射するための上部噴射ノズル２３と下部噴射ノズル２４が設けられ、上部及び下部噴射ノズル２３、２４は洗浄槽２０の上端と下端にそれぞれ設置された第１給水管２５及び第２給水管２８に連結される。
【００２４】
また、洗浄槽２０の下部の本体１０の内部には、洗浄水を収集する集水容器４０が設けられる。前記洗浄槽２０の底面２６には、洗浄槽２０の内部の洗浄水が前記集水容器４０に流入できるようにする流入孔２７が設けられ、前記底面２６は、洗浄水が前記流入孔２７側に容易に案内されるように、前記流入孔２７側に下向に傾いている。このような集水容器４０は、その上端部が前記流入孔２７の外側の洗浄槽２０の底面２６に結合されることにより、洗浄槽２０の下部に固定される。そして、集水容器４０に近い所定位置と集水容器４０の下部位置には、洗浄水の循環のための循環ポンプ５０と洗浄水の排水のための排水ポンプ６０がそれぞれ設けられる。循環ポンプ５０と集水容器４０間と、排水ポンプ６０と集水容器４０間にはそれぞれ循環管５１と排水管６１が連結される。前記循環管５１は上部及び下部噴射ノズル２３、２４に連結された第１及び第２給水管２５、２８側に洗浄水を供給するために設けられる。
【００２５】
このような構造により前記上部及び下部噴射ノズル２３、２４から噴射された洗浄水は、循環ポンプ５０の作動により集水容器４０及び循環管５１を介して各給水管２５、２８に送られた後、再度上部及び下部噴射ノズル２３、２４に供給され、食器洗い機の内部を循環し、所定時間の経過後には、排水ポンプ６０の作用により排水管６１を経て洗い機の外部へ排水される。
【００２６】
前記のような経路を経て食器洗い機の内部を循環する洗浄水には、食器から除去された飲食物滓が含まれているため、前記集水容器４０には、循環される洗浄水を濾過させるとともに洗浄水に含まれた飲食物滓を採集するためのフィルタ部が設けられる。
【００２７】
前記フィルタ部は、循環される洗浄水に含まれた飲食物滓を採集するための採集フィルタ７０と、洗浄槽２０の洗浄水が前記集水容器４０に流入されるようにするとともに前記採集フィルタ７０側に飲食物滓を案内するため、前記洗浄槽２０と採集フィルタ７０を連結するガイド部材８０とを備える。このようなガイド部材８０は、その上端部は前記流入孔２７に連通するように、集水容器４０の内部に設けられる。
【００２８】
この際、前記集水容器４０に設けられる採集フィルタ７０は、掃除を容易にするとともに洗浄槽２０の底面の清潔状態を改善するため、前記集水容器４０側に対応する本体の前面を通じて集水容器４０に着脱可能に設けられる。以下、そのための食器洗い機の構造をより詳細に説明する。
【００２９】
図３に示すように、本発明による食器洗い機の前記ドア３０の下側の本体１０の前面には所定大きさの開口部１１が形成される。この開口部１１は、前記採集フィルタ７０が前記ドア３０の下側の本体１０の前面を通じて前記集水容器４０に直接設置できるようにしたものである。また、前記集水容器４０の下端部は前記開口部４０を通じて設置される採集フィルタ７０が集水容器４０の内部に設置されるようにする延長部４１を形成する。この延長部４１は前記集水容器４０の下端一側から前記本体１０の前面の開口部１１側に折曲され延長される。
【００３０】
また、前記ガイド部材８０は、前記洗浄槽２０の洗浄水を前記集水容器４０に流入させるため、前記洗浄槽２０内部の洗浄水と集水容器４０内部の洗浄水が互いに合流するようにし、洗浄水に含まれた飲食物滓を前記採集フィルタ７０側に案内する役割をする。このガイド部材８０は、洗浄水は外部へ通過させるが飲食物滓は内部で濾されるようにする貫通孔８１が全面にわたって形成される。また、前記ガイド部材８０は、前記流入孔２７側の洗浄槽２０の底面に位置する上部から下部に行くほど内径が縮小するように、テーパー状に形成され、前記ガイド部材８０の下端部には、前記延長部４１側に折曲され延長される折曲部８２が設けられる。この際、前記折曲部８２の端部には、採集フィルタ７０側に飲食物滓を案内するため、後述する採集フィルタ７０のフィルタ部７２の内部に所定長さ挿入される挿入部８３が設けられる。
【００３１】
前記採集フィルタ７０は、本体１０の前面に形成される前記開口部１１と前記集水容器４０の延長部４１を同時に閉鎖するためのストッパー７１と、一端部は前記ストッパー７１に着脱可能に結合され、他端部はガイド部材８０に沿って案内された飲食物滓をフィルタリングするため、前記ガイド部材８０に結合されるように前記延長部４１の内側に挿設されるフィルタ部７２とからなる。
【００３２】
前記ストッパー７１は、前記開口部１１を閉鎖するために外側に設けられる外側部７３と、前記開口部１１側の延長部４１に螺合方式で締結されるように内側に設けられる内側部７５と、前記外側部７３と前記内側部７５との間に設けられる中間部７４とが一体的に構成される。前記内側部７５の外面と、これに結合される延長部４１の内面にはそれぞれ雄ネジと雌ネジが形成されることにより、前記ストッパー７１が前記開口部１１側の延長部４１に螺合される。
【００３３】
前記外側部７３の外面には、前記ストッパー７１を回転させるための摘み７３ａが設けられ、螺合方式で締結された前記内側部７５と開口部１１側の延長部４１はこの摘み７３ａの回転により締結又は分解され、前記採集フィルタが前記延長部に対し着脱できるようにする。そして、前記中間部７４の外面には、前記ストッパー７１の外側部７３の内面と前記延長部４１間を密閉して、集水容器４０内の洗浄水が前記延長部４１を通じて本体１０の外部へ漏水することを防止するための環状シール部材９０が設けられる。
【００３４】
図４に示すように、前記ストッパー７１に着脱可能に結合される前記フィルタ部７２は、それぞれ一端部が開放された円筒形に形成され、洗浄水の循環ができるように網体からなる三つのフィルタ７６、７７、７８からなる。このフィルタ部７２のフィルタ７６、７７、７８は、飲食物滓をサイズ別に採集し得るように多重構造に構成される。すなわち、前記フィルタ部７２は網目のサイズが相違して形成されるもので、大きい飲食物滓を濾すため、最内側に設けられる内側フィルタ７６と、前記内側フィルタ７６を通過した飲食物滓を濾すため、前記内側フィルタ７６の外側に設けられる第１外側フィルタ７７と、前記第１外側フィルタ７７を通過した飲食物滓を最終に濾すため、前記第１外側フィルタ７７の外側に設けられる第２外側フィルタ７８とからなる多重フィルタを構成する。
【００３５】
このようなフィルタ部７２を構成する各フィルタ７６、７７、７８は、掃除に際して、相互容易に分離されるように、前記ストッパー７１に着脱可能に結合される。各フィルタ７６、７７、７８は、ストッパー７１の内面に環状に形成された三重挿着溝７５ａに開放端部側が挿入又は離脱されることにより、前記ストッパー７１に着脱される。
【００３６】
前記採集フィルタ７０のフィルタ部７２の内側に所定長さだけ挿入されるガイド部材８０の挿入部８３が通過するため、前記ストッパー７１の反対側の各フィルタ７６、７７、７８の端部には、前記挿入部８３の断面と同形状に挿入孔７９が形成される。前記挿入部８３の外面と挿入孔７９は、フィルタ部７２に採集された異物質がフィルタ部７２とガイド部材８０との間を通じて外側に排出されることを防止するため、互いに密着することが好ましい。本実施例では前記フィルタ部７２を単純な円筒状に構成したが、本実施例と異なり、前記フィルタ部７２が所定の屈曲又は傾きを有するように形成することで、フィルタ部７２に採集された飲食物滓が、洗浄水の循環時、前記フィルタ部７２からガイド部材８０側に離脱することを確かに防止することもできる。
【００３７】
このような構成により、本発明による食器洗い機は、洗浄水が循環ポンプ５０の作動により、前記集水容器４０から前記ガイド部材８０及び採集フィルタ７０を介して洗浄槽に循環されるようにするとともに、洗浄水に含まれた異物質が前記採集フィルタ７０により容易に採集されるようにする。
【００３８】
また、本体１０の前面に着脱可能に設けられる前記採集フィルタ７０は、容易に掃除できるとともに、洗浄槽２０の底面２６が一層清潔な状態を維持するようにする。つぎに、本発明による食器洗い機採集フィルタ７０の分解及び組立の過程を具体的に説明する。
【００３９】
採集フィルタ７０のフィルタ部７２の内部に所定量以上の飲食物滓が採集されると、使用者は洗浄水の排水過程が終了状態を確認した後、本体１０の前面に設けられたストッパー７１の摘み７３ａを回転させて延長部４１から前記ストッパー７１の内側部７５を分離させた後、図５に示すように、本体１０の前面に形成された前記開口部１１を通じて前記採集フィルタ７０を本体１０の外側に取り出す。その後、使用者はストッパー７１の内側部７５に形成された各挿着溝７５ａに挿着された各フィルタ７６、７７、７８を第２外側フィルタ７８、第１外側フィルタ７７、内側フィルタ７６の順に分離した後、各フィルタ７６、７７、７８を掃除する。
【００４０】
各フィルタ７６、７７、７８の掃除が済むと、使用者は各フィルタ７６、７７、７８の開放端部をストッパー７１の内側部７５に形成された挿着溝７５ａに差し込むことで、各フィルタ７６、７７、７８をストッパー７１に固定させた後、本体１０の前面に形成された前記開口部１１を通じて、前記ガイド部材８０の挿入部８３が採集フィルタ７０のフィルタ部７２の内側に挿入されるように、フィルタ部７２を集水容器４０の延長部４１に位置させる。この状態で、使用者はストッパー７１の摘み７３ａを分解させるときと反対方向に回転させて、延長部４１にストッパー７１の内側部７５を螺合方式で締結させることにより、採集フィルタ７０を本体１０の前面に組み立てる。
【００４１】
【発明の効果】
以上説明したように、本発明による食器洗い機は、飲食物滓を採集する採集フィルタ７０が洗浄槽２０の底面２６に露出しないようにすることにより、食器洗い過程が終了した後、使用者がドア３０を開放したとき、洗浄槽２０の底面２６に飲食物滓が見えなくなるので、洗浄槽２０の底面２６がより清潔に見えるようにする。また、前記採集フィルタ７０はドア３０の下側の本体１０の前面に着脱可能に設けられるので、ドア３０を開けるか上部及び下部バスケット２１、２２を移動させなくても前記採集フィルタ７０を本体１０の外部へ取り出すことができる。したがって、採集フィルタ７０の掃除がより容易になり、採集フィルタ７０の分離に際して、採集フィルタ７０内部に採集された飲食物滓から汚染水が洗浄槽２０の底面２６に落下するおそれがないので、洗浄槽２０の底面２６の清潔状態を一層向上させることができる。
【００４２】
本実施例において、前記採集フィルタ７０は前記ドア３０の下端側の本体１０の外面を通じて前記集水容器４０に設置されるが、これと異なり、前記採集フィルタ７０は食器洗い機が設置される流し台又は厨房空間の構造によって、前記延長部４１を本体１０の側面又は後面に位置させ、前記開口部１１をこれに対応して形成することにより、本体１０の外面の側面又は後面を通じても設置することができるものである。
【図面の簡単な説明】
【図１】従来の食器洗い機の全体構造を示す断面図である。
【図２】本発明による食器洗い機の全体構造を示す断面図である。
【図３】図２のフィルタ部の構造を示す部分断面図である。
【図４】図２の採集フィルタの構造を示す分解斜視図である。
【図５】図２の食器洗い機の全体構造を示す斜視図である。
【符号の説明】
１０　本体
２０　洗浄槽
２１、２２　バスケット
２３　上部噴射ノズル
２４　下部噴射ノズル
２５　第１給水管
２８　第２給水管
３０　ドア
４０　集水容器
５０　循環ポンプ
６０　排水ポンプ
７０　採集フィルタ
７１　ストッパー
７２　フィルタ部
８０　ガイド部材
９０　シール部材
【図１】
2004041679.tif 000003
【図２】
2004041679.tif 000004
【図３】
2004041679.tif 000005
【図４】
2004041679.tif 000006
【図５】
2004041679.tif 000007